(57)【要約】【課題】使いやすく、美観の優れた吐出装置を提供する。【解決手段】吐出装置である混合水栓１は、複数の本体流路ＨＭ，Ｃ，Ｍ，ＨＤが形成された本体部３０と、各本体流路Ｍ，ＨＤの夫々に連通した複数の流入口４１Ａ，４１Ｂの少なくとも一つ(熱湯流入口４１Ａ)が側面に形成され、各流入口４１Ａ，４１Ｂの夫々に連通した複数の流出口４１Ｃ，４１Ｄが形成されており、本体部３０に対して回動自在に連結された連結部４１と、各流出口４１Ｃ，４１Ｄの夫々に連通した複数の流通路ＨＰ，ＭＰが形成されており、連結部４１とともに本体部３０に対して回動自在に設けられた吐出管４０とを備えている。【選択図】図２
2019044388.tif 000002
【特許請求の範囲】
【請求項１】
複数の本体流路が形成された本体部と、
各前記本体流路の夫々に連通した複数の流入口の少なくとも一つが側面に形成され、各前記流入口の夫々に連通した複数の流出口が形成されており、前記本体部に対して回動自在に連結された連結部と、
各前記流出口の夫々に連通した複数の流通路が形成されており、前記本体部に対して前記連結部とともに回動自在に設けられた吐出管と、
を備えていることを特徴とする吐出装置。
【請求項２】
前記連結部は、複数の前記流入口の少なくとも一つが回動軸方向に開口して形成されていることを特徴とする請求項１記載の吐出装置。
【請求項３】
前記吐出管は、
前記複数の流通路の夫々を形成する複数の管部材と、
これら複数の管部材を収納するカバー部材と、
を有していることを特徴とする請求項１又は２記載の吐出装置。
【請求項４】
前記連結部は少なくとも一部が前記カバー部材内に収納されていることを特徴とする請求項３記載の吐出装置。
【請求項５】
前記吐出管は、設置状態において、上下方向に延びる第１管部と、この第１管部の下部から横方向に延びる第２管部と、を有しており、
各前記管部材は前記第２管部より上流側で前記連結部に接続されていることを特徴とする請求項３又は４記載の吐出装置。
【請求項６】
前記吐出管は、設置状態において、上下方向に延びる第１管部と、この第１管部の下部から横方向に延びる第２管部と、を有しており、
各前記管部材は前記第２管部内で前記連結部に接続されていることを特徴とする請求項３又は４記載の吐出装置。
【発明の詳細な説明】
【技術分野】
【０００１】
本発明は吐出装置に関するものである。
【背景技術】
【０００２】
特許文献１は従来の吐出装置である混合水栓を開示している。この混合水栓は、本体部、熱湯吐出管、及び混合湯吐出管を備えている。本体部は湯水混合部を有している。湯水混合部は熱湯と水とを混合する。この混合水栓は熱湯吐出管から熱湯を吐出する。また、この混合水栓は、本体部の湯水混合部を経由して、混合湯吐出管から熱湯と水とを混合した混合湯又は水を吐出する。
【先行技術文献】
【特許文献】
【０００３】
【特許文献１】特開２０００−９６６４４号公報
【発明の概要】
【発明が解決しようとする課題】
【０００４】
しかし、特許文献１の混合水栓は熱湯吐出管と混合湯吐出管とを別々に備えている。このため、この混合水栓は、熱湯吐出管から熱湯を吐出する際に混合湯吐出管が邪魔になったり、混合湯吐出管から混合湯又は水を吐出する際に熱湯吐出管が邪魔になったりするおそれがある。このように、この混合水栓は、使い勝手が悪く、吐水空間を広く使えないおそれがある。また、この混合水栓は美観が良くない。
【０００５】
本発明は、上記従来の実情に鑑みてなされたものであって、使いやすく、美観の優れた吐出装置を提供することを解決すべき課題としている。
【課題を解決するための手段】
【０００６】
本発明の吐出装置は、
複数の本体流路が形成された本体部と、
各前記本体流路の夫々に連通した複数の流入口の少なくとも一つが側面に形成され、各前記流入口の夫々に連通した複数の流出口が形成されており、前記本体部に対して回動自在に連結された連結部と、
各前記流出口の夫々に連通した複数の流通路が形成されており、前記連結部とともに前記本体部に対して回動自在に設けられた吐出管と、
を備えていることを特徴とする。
【０００７】
この吐出装置は複数の流通路が形成された吐出管が連結部とともに本体部に対して回動自在に設けられている。この吐出装置は、吐出管の複数の流通路の夫々に異なる種類の流体を流通させて吐出させることによって、異なる種類の流体ごとに複数の吐出管を必要としない。また、この吐出装置は、複数の流通路が形成された吐出管が回動自在であるため、吐水空間を広く使えることができる。
【０００８】
したがって、この吐出装置は、使いやすく、美観を優れたものにすることができる。
【図面の簡単な説明】
【０００９】
【図１】実施例１に係る混合水栓を示す斜視図である。
【図２】実施例１に係る混合水栓の各流通路の流通形態を模式的に示す図である。
【図３】実施例１に係る混合水栓を示す正面断面図である。
【図４】図３の矢視ＩＶ−ＩＶ断面図である。
【図５】図３の矢視Ｖ−Ｖ断面図である。
【図６】実施例１に係る混合水栓において、各流通路の形態を説明するための図である。
【図７】図６の要部拡大図であり、吐出管の基端側を示す図である。
【図８】図６の要部拡大図であり、吐出管の先端側を示す図である。
【図９】実施例２に係る混合水栓において、本体部、連結部、及び吐出管の基端側を示す断面図である。
【発明を実施するための形態】
【００１０】
本発明における好ましい実施の形態を説明する。
【００１１】
本発明の吐出装置の連結部は、複数の前記流入口の少なくとも一つが回動軸方向に開口して形成され得る。この場合、流入口の全てを連結部の側面に形成した場合に比べ、連結部の回動軸方向の長さを小さくすることができる。
【００１２】
本発明の吐出装置の吐出管は、前記複数の流通路の夫々を形成する複数の管部材と、これら複数の管部材を収納するカバー部材とを有し得る。この場合、この吐出装置は、複数の管部材が露出せず、カバー部材によって吐出管の外形を形成することができるため、吐出管の美観を優れたものにすることができる。
【００１３】
本発明の吐出装置の連結部は少なくとも一部が前記カバー部材内に収納され得る。この場合、この吐出装置は、本体部側で連結部を収納する空間が小さくなるため、本体部側の外観を大きくせずに、美観を優れたものにすることができる。
【００１４】
本発明の吐出装置の吐出管は、設置状態において、上下方向に延びる第１管部と、この第１管部の下部から横方向に延びる第２管部とを有しており、各前記管部材は前記第２管部より上流側で前記連結部に接続され得る。この場合、吐出装置は、第２管部内で各管部材を連結部に接続しないため、第２管部の形態の自由度が高く、第２管部の形態が異なる吐出装置の種類を容易に増やすことができる。
【００１５】
本発明の吐出装置の吐出管は、設置状態において、上下方向に延びる第１管部と、この第１管部の下部から横方向に延びる第２管部と、を有しており、各前記管部材は前記第２管部内で前記連結部に接続され得る。この場合、吐出装置は、第１管部内で各管部材を連結部に接続しないため、第１管部の外径が大きくならずにすっきりとした形態の吐出装置にすることができる。
【００１６】
次に、本発明の吐出装置である混合水栓を具体化した実施例１及び２について、図面を参照しつつ説明する。なお、以下の説明では、上下、左右の方向については、図２及び図３に表れる向きをそのまま上下、左右方向と定義し、前後の方向については、図４に表れる左方を前方、右方を後方と夫々定義して説明する。
【００１７】
＜実施例１＞
実施例１の混合水栓１は、壁取り付け型の水栓である。混合水栓１は、図１〜図５に示すように、給湯部１０、給水部２０、本体部３０、吐出管４０、及び連結部４１を備えている。これら各部は、大半を白色の樹脂製カバーにより夫々覆われており、全体として白色を呈する清潔感のある意匠とされている。
【００１８】
給湯部１０は熱湯を供給する。詳細には、給湯部１０は、壁面に引き出された給湯管（図示せず）からの熱湯を本体部３０に供給する。給湯部１０は、図２及び図３に示すように、給湯側取付脚１１及び給湯部本体１２を有している。給湯側取付脚１１は真鍮製で管状に形成されている。また、給湯側取付脚１１には樹脂製のカバー１１Ａが取り付けられている。給湯側取付脚１１は、両端部において異なる方向に屈曲するいわゆるクランク状に形成されている。給湯側取付脚１１は上流端が壁面に引き出された給湯管に接続されている。給湯側取付脚１１は下流端が給湯部本体１２に接続されている。
【００１９】
給湯部本体１２は真鍮製で前後方向に延びる管状に形成されている。また、給湯部本体１２は、図５に示すように、後端部において給湯側取付脚１１と連通している。また、給湯部本体１２は混合用熱湯流出口１２Ａ及び吐出用熱湯流出口１２Ｂが右側面に形成されている。混合用熱湯流出口１２Ａ及び吐出用熱湯流出口１２Ｂは、給湯部本体１２の右側面に前後方向に並んで開口して形成されている。これらのうち、前方の混合用熱湯流出口１２Ａは混合用熱湯流通路ＨＭに連通する。混合用熱湯流通路ＨＭは後述する本体部３０に形成された本体流路の一つに相当する。後方の吐出用熱湯流出口１２Ｂは吐出用熱湯流通路ＨＤに連通する。吐出用熱湯流通路ＨＤは、後述する本体部３０に形成された本体流路の一つに相当する。すなわち、給湯部１０は、混合用熱湯流通路ＨＭ及び吐出用熱湯流通路ＨＤの夫々に熱湯を供給するように分岐している。
【００２０】
給水部２０は水を供給する。詳細には、給水部２０は、壁面に引き出された給水管（図示せず）からの水を本体部３０に供給する。給水部２０は、図２及び図３に示すように、給水側取付脚２１及び給水部本体２２を有している。給水側取付脚２１は真鍮製で管状に形成されている。給水側取付脚２１は、給湯側取付脚１１と同様のクランク状に形成されている。給水側取付脚２１は上流端が壁面に引き出された給水管に接続されている。給水側取付脚２１は下流端が給水部本体２２に接続されている。給水部本体２２は真鍮製で前後方向に延びる管状に形成されている。また、給水部本体２２は、図５に示すように、後端部において給水側取付脚２１と連通している。また、給水部本体２２は水流出口２２Ａが左側面に形成されている。水流出口２２Ａは水流通路Ｃに連通する。水流通路Ｃは後述する本体部３０に形成された本体流路の一つに相当する。
【００２１】
本体部３０は、図２及び図３に示すように、給湯部１０及び給水部２０の間に設けられている。本体部３０は混合弁３１とハウジング３２とを有している。混合弁３１は給湯部１０から供給される熱湯と給水部２０から供給される水とを混合した混合湯又は給水部２０から供給される水を流出する。混合弁３１は摺動自在に設けられたセラミックス製の複数のディスク弁体を収納したカートリッジ式である。混合弁３１は後述するレバー式ハンドル５０により操作される。
【００２２】
ハウジング３２は耐熱性樹脂であるポリフェニレンスルファイド（ＰＰＳ）製である。ハウジング３２は上下に延びる略円筒形状をなしている。混合弁３１はこのハウジング３２の上部に収納されている。詳細には、図３及び図４に示すように、ハウジング３２は上方に開口した有底の収納空間３２Ａが上部に形成されている。混合弁３１はこの収納空間３２Ａに収納されている。また、ハウジング３２は下方に開口した有底の連結穴３２Ｂが下部に形成されている。連結穴３２Ｂは底部から開口側の端部に向かって段差状に徐々に拡径して形成されている。連結穴３２Ｂは後述する連結部４１が挿入されている。
【００２３】
また、ハウジング３２は、図２〜図５に示すように、混合用熱湯流通路ＨＭ、水流通路Ｃ、湯水流通路Ｍ、及び吐出用熱湯流通路ＨＤが下部に形成されている。混合用熱湯流通路ＨＭ、水流通路Ｃ、湯水流通路Ｍ、及び吐出用熱湯流通路ＨＤは、本体部３０に形成された本体流路に相当する。つまり、本体部３０は複数の本体流路ＨＭ，Ｃ，Ｍ，ＨＤが形成されている。混合用熱湯流通路ＨＭは混合弁３１に熱湯を供給する。混合用熱湯流通路ＨＭは、ハウジング３２の左側面前方に形成された混合用熱湯流入口３２Ｃに給湯部１０からの熱湯が導入され、その熱湯が流通する（図５参照）。混合用熱湯流通路ＨＭは、混合用熱湯流入口３２Ｃから右方に延びるとともに、ハウジング３２の中央部で上方に屈曲して形成されている。混合用熱湯流通路ＨＭは下流端が収納空間３２Ａの底部に開口して混合弁３１に接続されている。
【００２４】
水流通路Ｃは混合弁３１に水を供給する。水流通路Ｃは、ハウジング３２の右側面前方に形成された水流入口３２Ｄに給水部２０からの水が導入され、その水が流通する。水流通路Ｃは、水流入口３２Ｄから左方に延びるとともに、ハウジング３２の中央部で上方に屈曲して形成されている。水流通路Ｃは下流端が収納空間３２Ａの底部に開口して混合弁３１に接続されている。
【００２５】
湯水流通路Ｍは混合弁３１により混合された混合湯又は水が流通する。湯水流通路Ｍは、上流端が収納空間３２Ａの底部に開口しているとともに、下流端が連結穴３２Ｂの底部に開口している。すなわち、湯水流通路Ｍは、収納空間３２Ａと連結穴３２Ｂとを連通する形態で上下に延びている。湯水流通路Ｍを流通した混合湯又は水は、吐出管４０を経由して、吐出管４０の先端部に形成された湯水吐出口４５Ａから吐出される。
【００２６】
吐出用熱湯流通路ＨＤは、吐出される熱湯が流通する。吐出用熱湯流通路ＨＤは混合用熱湯流通路ＨＭとは別系統である。吐出用熱湯流通路ＨＤは混合弁３１の下方に形成されている。吐出用熱湯流通路ＨＤは、ハウジング３２の左側面であり、混合用熱湯流入口３２Ｃの後方に形成された吐出用熱湯流入口３２Ｅから右方に向かって延びて形成されている。吐出用熱湯流通路ＨＤは下流端が連結穴３２Ｂの側部に開口して連結部４１に接続されている。吐出用熱湯流通路ＨＤを流通した熱湯は、吐出管４０を経由して、吐出管４０の先端部に形成された熱湯吐出口４３Ｄから吐出される。
【００２７】
給湯部１０、給水部２０、及び本体部３０は、図３〜図５に示すように、夫々の背面（壁面と対向する面）において、ブラケット２に固定されている。ブラケット２は、正面視において左右方向に長い略長方形状をなしている。ブラケット２は、左側から給湯部１０、本体部３０、給水部２０の順に並ぶ形態で夫々を固定している。このように給湯部１０、給水部２０、及び本体部３０の夫々がブラケット２に固定された状態で、給湯部１０、給水部２０、及び本体部３０は、ブラケット２とともに、表面を意匠面とするカバー部材３により覆われている。
【００２８】
また、本体部３０及び給湯部１０と、本体部３０及び給水部２０とは、図２及び図５に示すように、夫々接続管１３，１４，２３を介して接続されている。接続管１３，１４，２３は夫々真鍮製である。これらの接続管１３，１４，２３のうち、接続管１３は、上流端が給湯部本体１２の混合用熱湯流出口１２Ａに接続され、下流端が本体部３０のハウジング３２の混合用熱湯流入口３２Ｃに接続されている。接続管１４は、上流端が給湯部本体１２の吐出用熱湯流出口１２Ｂに接続され、下流端が本体部３０のハウジング３２の吐出用熱湯流入口３２Ｅに接続されている。接続管２３は、上流端が給水部本体２２の水流出口２２Ａに接続され、下流端が本体部３０のハウジング３２の水流入口３２Ｄに接続されている。
【００２９】
連結部４１はＰＰＳ樹脂製である。連結部４１は、図４及び図７に示すように、内部に吐出管側熱湯流通路ＨＰ及び吐出管側湯水流通路ＭＰが形成されている。連結部４１は上端部が上端に向かうに連れて段差状に縮径する円筒状である。連結部４１は上端部が本体部３０のハウジング３２に形成された連結穴３２Ｂに回動自在に差し込まれている。連結部４１は下端部外周が固定ナット４７により覆われている。固定ナット４７は真鍮製である。固定ナット４７は連結部４１に作用するモーメント荷重等を受けて連結部４１の破損を防止する。
【００３０】
連結部４１は、図７に示すように、上端部の側面に熱湯流入口４１Ａが形成されている。詳しくは、熱湯流入口４１Ａは、連結穴３２Ｂに回動自在に差し込まれた連結部４１の段差状に縮径した円筒状の上端部の側面に形成されている。つまり、熱湯流入口４１Ａは、回動軸に直交する方向に開口するように連結部４１の側面に形成されている。熱湯流入口４１Ａは連結部４１に形成された流入口の一つである。熱湯流入口４１Ａは、連結部４１がハウジング３２の連結穴３２Ｂに差し込まれた状態で、ハウジング３２との間に形成される環状空間３２Ｆに連通する。熱湯流入口４１Ａは、環状空間３２Ｆを介して、本体部３０側の吐出用熱湯流通路ＨＤに連通する。熱湯流入口４１Ａは、後述する吐出管４０の第２管部４０Ｂの延伸方向に開口して形成されているが、環状空間３２Ｆに連通しているため、連結部４１の回動に伴う周方向の位置変化に関わらず、本体部３０側の吐出用熱湯流通路ＨＤと常時連通した状態とされる。
【００３１】
また、連結部４１は上端面に湯水流入口４１Ｂが形成されている。つまり、湯水流入口４１Ｂは連結部４１の回動軸方向に開口している。湯水流入口４１Ｂは連結部４１に形成された流入口の一つである。湯水流入口４１Ｂは、連結部４１がハウジング３２の連結穴３２Ｂに差し込まれた状態で、本体部３０側の湯水流通路Ｍに連通する。湯水流入口４１Ｂは、連結部４１の軸心（回動軸）に同軸に開口して形成されている。このため、湯水流入口４１Ｂは、連結部４１の回動に伴う周方向の位置の変化が生じず、本体部３０側の湯水流通路Ｍと常時連通した状態とされる。
【００３２】
連結部４１は下端面に熱湯流出口４１Ｃ及び湯水流出口４１Ｄが形成されている。熱湯流出口４１Ｃは上端部の熱湯流入口４１Ａに連通している。熱湯流出口４１Ｃは熱湯流入口４１Ａから流入した熱湯を流出する。湯水流出口４１Ｄは上端面に開口する湯水流入口４１Ｂに連通している。湯水流出口４１Ｄは湯水流入口４１Ｂから流入した混合湯又は水を流出する。熱湯流出口４１Ｃ及び湯水流出口４１Ｄは、後述する吐出管４０の第２管部４０Ｂの延伸方向に沿って並んで配されている。
【００３３】
吐出管４０は、図６〜図８に示すように、熱湯流通管部材４２、熱湯吐出部４３、湯水流通管部材４４、湯水吐出部４５、及び吐出管カバー部材４６を有している。吐出管４０は、混合水栓１が壁に取り付けられた状態（設置状態）において、上下方向に延びる第１管部４０Ａと、この第１管部４０Ａの下端部から横方向に直線状に延びる第２管部４０Ｂとを有しており、全体として略Ｌ字状に形成されている。
【００３４】
熱湯流通管部材４２は、その内部が吐出管側熱湯流通路ＨＰとされている。つまり、熱湯流通管部材４２は吐出管側熱湯流通路ＨＰを形成している。吐出管側熱湯流通路ＨＰは吐出管４０に形成された流通路の一つである。熱湯流通管部材４２は、図６に示すように、真鍮製の接続エルボ４２Ａと、銅製の直管４２Ｂとを具備している。接続エルボ４２Ａは略Ｌ字形状をなす管継手である。接続エルボ４２Ａは、その上流側端部が連結部４１の熱湯流出口４１Ｃに下方から差し込まれている。連結部４１は、後述する吐出管カバー部材４６の第１管部４０Ａの外殻を構成した部分の上端開口に下方から挿入され、下端部が吐出管カバー部材４６内に収納されている。このため、熱湯流通管部材４２である接続エルボ４２Ａは第１管部４０Ａ内で連結部４１に接続されていることになる。つまり、熱湯流通管部材４２は第２管部４０Ｂより上流側で連結部４１に接続されている。接続エルボ４２Ａは、その下流側端部が吐出管４０の第２管部４０Ｂの延伸方向を向いて側方に開口している。接続エルボ４２Ａは下流側端部に直管４２Ｂの上流側端部が差し込まれている。直管４２Ｂは吐出管４０の第２管部４０Ｂ内に、第２管部４０Ｂの延伸方向に沿って配置されている。直管４２Ｂは、図６及び図８に示すように、下流側端部が熱湯吐出部４３に接続されている。
【００３５】
熱湯吐出部４３は熱湯吐出弁４３Ａを内蔵している。熱湯吐出弁４３Ａは、流量調整機能付き開閉弁であり、後述する回動式ハンドル６０を回動操作することにより開閉され、熱湯の吐出量を調節することができる。また、熱湯吐出部４３は、この熱湯吐出弁４３Ａを収納する弁収納部４３Ｂと、熱湯吐出弁４３Ａから流出する熱湯を整流するストレーナ部４３Ｃとを具備している。弁収納部４３Ｂ及びストレーナ部４３Ｃはともに金属製である。熱湯吐出部４３を通過した熱湯はストレーナ部４３Ｃの下流端に形成された熱湯吐出口４３Ｄから吐出される。吐出管側熱湯流通路ＨＰは、連結部４１、熱湯流通管部材４２、及び熱湯吐出部４３に渡って形成されている。
【００３６】
湯水流通管部材４４は、その内部が吐出管側湯水流通路ＭＰとされている。つまり、湯水流通管部材４４は吐出管側湯水流通路ＭＰを形成している。吐出管側湯水流通路ＭＰは吐出管４０に形成された流通路の一つである。湯水流通管部材４４は、図６に示すように、真鍮製の接続ソケット４４Ａと、略Ｌ字形状に形成された銅製のＬ字管４４Ｂとを具備している。接続ソケット４４Ａは、直管形状をなす管継手である。接続ソケット４４Ａは、その上流側端部が連結部４１の湯水流出口４１Ｄに下方から差し込まれている。このように、湯水流通管部材４４である接続ソケット４４Ａは第１管部４０Ａ内で連結部４１に接続されている。つまり、湯水流通管部材４４は第２管部４０Ｂより上流側で連結部４１に接続されている。接続ソケット４４Ａは、その下流側端部にＬ字管４４Ｂの上流側端部が下方から差し込まれている。Ｌ字管４４Ｂは、図６及び図７に示すように、上流側の端部が第１管部４０Ａ内で上下に延びている。Ｌ字管４４Ｂは、第２管部４０Ｂにおいて、下流側が熱湯流通管部材４２の直管４２Ｂと略平行に延びる形態で、直管４２Ｂの下方に離間して配置されている。Ｌ字管４４Ｂは下流側端部が湯水吐出部４５に接続されている。
【００３７】
湯水吐出部４５はＰＰＳ樹脂製であり、その内部にＬ字形状の吐出管側湯水流通路ＭＰが形成されている。湯水吐出部４５を通過した混合湯又は水は、湯水吐出口４５Ａから吐出される。吐出管側湯水流通路ＭＰは、連結部４１、湯水流通管部材４４、及び湯水吐出部４５に渡って形成されている。
【００３８】
吐出管カバー部材４６は第１管部４０Ａ及び第２管部４０Ｂの外殻を構成している。つまり、吐出管カバー部材４６は、熱湯流通管部材４２、熱湯吐出部４３、湯水流通管部材４４、及び湯水吐出部４５を収納している。また、吐出管カバー部材４６は第１管部４０Ａの外殻を構成した部分における上端部に連結部４１及び固定ナット４７の下端部を収納している。吐出管カバー部材４６が外殻を構成した第１管部４０Ａ及び第２管部４０Ｂの夫々は、外観視が略円柱状であり、第１管部４０Ａが第２管部４０Ｂよりも太く形成されている。また、第１管部４０Ａは、混合水栓１が設置状態において、上下方向に延びており、第２管部４０Ｂは第１管部４０Ａの側面から突出するように形成され、横方向に直線上に延びている。
【００３９】
吐出管４０は、本体部３０に対して回動自在な連結部４１に熱湯流通管部材４２の上流端部及び湯水流通管部材４４の上流端部が接続されている。また、吐出管４０は、第１管部４０Ａの外殻を構成する吐出管カバー部材４６の上端開口に連結部４１の下端部を挿入している。このため、吐出管４０は、第１管部４０Ａの中心軸を回動軸として本体部３０に対して連結部４１と共に回動自在に設けられている。吐出管４０は、本体部３０の正面前方を中心として、水平面内で約１８０°の範囲で回動自在とされている。
【００４０】
レバー式ハンドル５０は、本体部３０の混合弁３１による混合湯の混合割合及び吐出量を調節する操作ハンドルである。レバー式ハンドル５０は、水平方向に延びる軸及び鉛直方向に延びる軸の２軸周りに回動自在に本体部３０の上部に設けられている。レバー式ハンドル５０は、水平軸周りの回動、すなわち、レバー式ハンドル５０の先端が上下に移動する回動操作により、止水状態も含む混合湯の吐出量を調節する。また、レバー式ハンドル５０は、鉛直軸周りの回動、すなわち、レバー式ハンドル５０の先端が水平に移動する回動操作により、水のみの吐出も含む混合湯の混合割合を調節する。
【００４１】
回動式ハンドル６０は、熱湯吐出口４３Ｄから吐出される熱湯の吐出量を調節する(止水状態も含む)操作ハンドルである。回動式ハンドル６０は吐出管４０の先端部に設けられている。回動式ハンドル６０は、吐出管４０の第２管部４０Ｂの軸心周りに回動自在に設けられている。回動式ハンドル６０は、吐出管４０の外径と略同径の略円柱形状をなしており、その中心軸が吐出管４０の第２管部４０Ｂの中心軸と同軸に吐出管４０の先端に配置されている。
【００４２】
次に、上記のように構成された実施例１の混合水栓１の作用について説明する。
この混合水栓１は、熱湯を吐出する場合、回動式ハンドル６０を操作する。これにより、給湯部１０から供給された熱湯が、接続管１４を介して、本体部３０のハウジング３２の吐出用熱湯流入口３２Ｅから流入する。流入した熱湯は、吐出用熱湯流通路ＨＤ、吐出管側熱湯流通路ＨＰを流通して、熱湯吐出口４３Ｄから吐出される。一方、この混合水栓１は、混合湯又は水を吐出する場合、レバー式ハンドル５０を操作する。このレバー式ハンドル５０によって混合弁３１が操作される。混合弁３１には、混合用熱湯流通路ＨＭ、及び水流通路Ｃが接続されており、これらを流通して供給された熱湯及び水を混合した混合湯又は水を流出する。混合弁３１から流出した混合湯又は水は、湯水流通路Ｍ、及び吐出管側湯水流通路ＭＰを経て湯水吐出口４５Ａから吐出される。
【００４３】
以上説明したように、実施例１の吐出装置である混合水栓１は、本体部３０、連結部４１、及び吐出管４０を備えている。
本体部３０は、ハウジング３２の下部に混合用熱湯流通路ＨＭ、水流通路Ｃ、湯水流通路Ｍ、及び吐出用熱湯流通路ＨＤが形成されている。混合用熱湯流通路ＨＭ、水流通路Ｃ、湯水流通路Ｍ、及び吐出用熱湯流通路ＨＤは、本体流路に相当する。
連結部４１は吐出用熱湯流通路ＨＤに連通した熱湯流入口４１Ａが上端部の側面に形成されている。また、連結部４１は湯水流通路Ｍに連通した湯水流入口４１Ｂが上端面に形成されている。つまり、連結部４１は、本体部３０の本体流路Ｍ，ＨＤの夫々に連通した流入口４１Ａ，４１Ｂの一つ（熱湯流入口４１Ａ）が側面に形成されている。また、連結部４１は、熱湯流入口４１Ａに連通した熱湯流出口４１Ｃ、及び湯水流入口４１Ｂに連通した湯水流出口４１Ｄが下端面に形成されている。つまり、連結部４１は、各流入口４１Ａ，４１Ｂの夫々に連通した流出口４１Ｃ，４１Ｄが形成されている。さらに、連結部４１は本体部３０に対して回動自在に連結されている。
吐出管４０は、熱湯流出口４１Ｃに連通した吐出管側熱湯流通路ＨＰ、及び湯水流出口４１Ｄに連通した吐出管側湯水流通路ＭＰが形成されている。つまり、吐出管４０は、各流出口４１Ｃ，４１Ｄの夫々に連通した流通路ＨＰ，ＭＰが形成されている。また、吐出管４０は連結部４１とともに本体部３０に対して回動自在に設けられている。
【００４４】
この混合水栓１は、吐出管側熱湯流通路ＨＰ及び吐出管側湯水流通路ＭＰが形成された吐出管４０が連結部４１とともに本体部３０に対して回動自在に設けられている。この混合水栓１は、吐出管４０の吐出管側熱湯流通路ＨＰに熱湯が流通し、吐出管側湯水流通路ＭＰに湯水又は水が流通する。このように、この混合水栓１は、熱湯を吐出させるための吐出管、湯水又は水を吐出させるための吐出管を別々に必要としない。また、この混合水栓１は、吐出管側熱湯流通路ＨＰ及び吐出管側湯水流通路ＭＰが形成された吐出管４０が回動自在であるため、吐水空間を広く使えることができる。
【００４５】
したがって、実施例１の混合水栓１は、使いやすく、美観を優れたものにすることができる。
【００４６】
また、実施例１の混合水栓１の連結部４１は、本体部３０の本体流路Ｍ，ＨＤの夫々に連通した流入口４１Ａ，４１Ｂの一つ（湯水流入口４１Ｂ）が回動軸方向に開口して形成されている。このため、この混合水栓１は、流入口４１Ａ，４１Ｂの全てを連結部４１の側面に形成した場合に比べ、連結部４１の回動軸方向の長さを小さくすることができる。
【００４７】
また、実施例１の混合水栓１の吐出管４０は、熱湯流通管部材４２、湯水流通管部材４４、及び吐出管カバー部材４６を有している。このため、この混合水栓１は、熱湯流通管部材４２及び湯水流通管部材４４が露出せず、吐出管カバー部材４６によって吐出管４０の外形を形成することができるため、吐出管４０の美観を優れたものにすることができる。
【００４８】
また、実施例１の混合水栓１の連結部４１は下端部が吐出管カバー部材４６内に収納されている。このため、この混合水栓１は、本体部３０側で連結部４１を収納する空間が小さくなるため、本体部３０側の外観を大きくせずに、美観を優れたものにすることができる。
【００４９】
また、実施例１の混合水栓１の吐出管４０は、壁に取り付けられた状態(設置状態)において、上下方向に延びる第１管部４０Ａと、第１管部４０Ａの下部から横方向に延びる第２管部４０Ｂとを有している。熱湯流通管部材４２及び湯水流通管部材４４は第２管部４０Ｂより上流側で連結部４１に接続されている。このため、この混合水栓１は、第２管部４０Ｂ内で各管部材４２，４４を連結部４１に接続しないため、第２管部４０Ｂの形態の自由度が高く、第２管部４０Ｂの形態が異なる混合水栓の種類を容易に増やすことができる。
【００５０】
＜実施例２＞
実施例２の混合水栓１００は、図９に示すように、熱湯流通管部材１４２及び湯水流通管部材１４４が第２管部１４０Ｂ内で連結部１４１に接続されている点が実施例１と異なる。実施例１と同様な構成は、同一の符号を付し、詳細な説明を省略する。
【００５１】
実施例２の混合水栓１００の連結部１４１は、略Ｌ字形状をなす外筒１４１Ｓと、円筒形状をなす内筒１４１Ｕとから構成されている。連結部１４１は上端部が本体部３０のハウジング３２に形成された連結穴３２Ｂに回動自在に差し込まれている。外筒１４１Ｓ及び内筒１４１ＵはＰＰＳ樹脂製である。外筒１４１Ｓは、鉛直筒部１４６、熱湯接続筒部１４７、及び湯水接続筒部１４８を有している。鉛直筒部１４６は上端部が上端に向かうに連れて段差状に縮径する円筒状である。鉛直筒部１４６は吐出管１４０の第１管部１４０Ａと同軸状に上下方向に延びている。鉛直筒部１４６は上端部の側面に熱湯流入口１４１Ａが形成されている。詳しくは、熱湯流入口１４１Ａは、連結穴３２Ｂに回動自在に差し込まれた鉛直筒部１４６の段差状に縮径した円筒状の上端部の側面に形成されている。つまり、熱湯流入口１４１Ａは、回動軸に直交する方向に開口するように鉛直筒部１４６（連結部１４１）の側面に形成されている。熱湯接続筒部１４７及び湯水接続筒部１４８は鉛直筒部１４６の下端部に連通している。熱湯接続筒部１４７及び湯水接続筒部１４８は、熱湯接続筒部１４７が湯水接続筒部１４８よりも上側で吐出管１４０の第２管部１４０Ｂの延伸方向に沿って平行に延びている。熱湯接続筒部１４７は第２管部１４０Ｂの延伸方向を向いて開口した熱湯流出口１４１Ｃを形成している。湯水接続筒部１４８は第２管部１４０Ｂの延伸方向を向いて開口した湯水流出口１４１Ｄを形成している。
【００５２】
内筒１４１Ｕは外筒１４１Ｓの鉛直筒部１４６内に同軸状に収納されている。内筒１４１Ｕは上端開口が湯水流入口１４１Ｂを形成している。つまり、湯水流入口１４１Ｂは連結部１４１の回動軸方向に開口している。内筒１４１Ｕは下端部の外周が鉛直筒部１４６の内周面に液密状に当接している。これによって、熱湯接続筒部１４７と湯水接続筒部１４８とが液密状に仕切られている。内筒１４１Ｕの中心孔１４９は、湯水接続筒部１４８と連通し、熱湯接続筒部１４７とは非連通である。内筒１４１Ｕの中心孔１４９と湯水接続筒部１４８とは吐出管側湯水流通路ＭＰを形成している。湯水流入口１４１Ｂと湯水流出口１４１Ｄとは連通している。
【００５３】
内筒１４１Ｕは、外周に上下方向に細長い複数のリブＲが周方向に間隔を開けて形成されている。これらリブＲは鉛直筒部１４６の内周面に当接している。これによって、内筒１４１Ｕの外周面と鉛直筒部１４６の内周面との間に複数の弧状空間１５１が形成されている。リブＲの上下方向における形成領域は、鉛直筒部１４６の上端よりも下方の位置から熱湯接続筒部１４７より上方の位置に至る範囲である。このため、弧状空間１５１の上下に内筒１４１Ｕの外周面と鉛直筒部１４６の内周面との間の全周に亘って連続した環状空間１５３が形成されている。上側の環状空間１５３は各弧状空間１５１の上端部と連通している。また、上側の環状空間１５３は熱湯流入口１４１Ａが開口している。下側の環状空間１５３は各弧状空間１５１の下端部と連通している。また、下側の環状空間１５３は、熱湯接続筒部１４７と連通し、湯水接続筒部１４８とは非連通である。上下の環状空間１５３、各弧状空間１５１、及び熱湯接続筒部１４７は、吐出管側熱湯流通路ＨＰを形成している。熱湯流入口１４１Ａと熱湯流出口１４１Ｃとは連通している。
【００５４】
吐出管１４０は、熱湯流通管部材１４２、熱湯吐出部（図示せず）、湯水流通管部材１４４、湯水吐出部（図示せず）、及び吐出管カバー部材４６を有している。吐出管１４０は、混合水栓１００が壁に取り付けられた状態（設置状態）において、上下方向に延びる第１管部１４０Ａと、この第１管部１４０Ａの下端部から横方向に直線状に延びる第２管部１４０Ｂとを有しており、全体として略Ｌ字状に形成されている。
【００５５】
熱湯流通管部材１４２は、その内部が吐出管側熱湯流通路ＨＰとされている。つまり、熱湯流通管部材１４２は吐出管側熱湯流通路ＨＰを形成している。吐出管側熱湯流通路ＨＰは吐出管１４０に形成された流通路の一つである。また、湯水流通管部材１４４は、その内部が吐出管側湯水流通路ＭＰとされている。つまり、湯水流通管部材１４４は吐出管側湯水流通路ＭＰを形成している。吐出管側湯水流通路ＭＰは吐出管４０に形成された流通路の一つである。
【００５６】
熱湯流通管部材１４２及び湯水流通管部材１４４は、真鍮製の接続ソケット１４２Ａ，１４４Ａと、銅製の直管１４２Ｂ，１４４Ｂとを具備している。接続ソケット１４２Ａ，１４４Ａは直管形状をなす管継手である。接続ソケット１４２Ａは、その上流側端部が熱湯接続筒部１４７の下流端開口である熱湯流出口１４１Ｃに差し込まれている。接続ソケット１４４Ａは、その上流側端部が湯水接続筒部１４８の下流端開口である湯水流出口１４１Ｄに差し込まれている。熱湯流通管部材１４２である接続ソケット１４２Ａ、及び湯水流通管部材１４４である接続ソケット１４４Ａは、第２管部１４０Ｂ内で連結部１４１に接続されている。
【００５７】
以上説明したように、実施例２の混合水栓１００の吐出管１４０は、壁に取り付けられた状態(設置状態)において、上下方向に延びる第１管部１４０Ａと、第１管部１４０Ａの下部から横方向に延びる第２管部１４０Ｂとを有している。熱湯流通管部材１４２及び湯水流通管部材１４４は第１管部４０Ａ内で連結部１４１に接続されている。このため、この混合水栓１００は、第１管部１４０Ａ内で各管部材１４２，１４４を連結部１４１に接続しないため、第１管部１４０Ａの外形が大きくならずにすっきりとした形態の混合水栓にすることができる。
【００５８】
本発明は上記記述及び図面によって説明した実施例１又は２に限定されるものではなく、例えば次のような実施例も本発明の技術的範囲に含まれる。
（１）実施例１及び２では、２系統の流路を形成し、熱湯と、混合湯又は水との２種類の流体を流通させて吐出したが、３系統以上の流路を形成し、夫々に種類の異なる流体を流通させて吐出してもよい。
（２）実施例１及び２では、熱湯と、混合湯又は水とを流通させて吐出したが、イオン水や炭酸水などを流通させて吐出してもよい。
（３）実施例１及び２では、本体部が混合弁を有したが、混合弁を有しなくてもよい。
（４）実施例１及び２では、吐出管が２本の管部材を収納するカバー部材を有したが、複数の管部材を一体に設けてカバー部材を有さなくてもよい。
（５）実施例１及び２では、連結部の下部がカバー部材内に収納されたが、連結部をカバー部材内に収納しなくてもよい。
（６）実施例１及び２では、吐出管をＬ字状に屈曲させたが、吐出管の形状などは特に限定されない。吐出管は、例えば、いわゆるグースネックのように、曲線状に構成されていてもよい。
【符号の説明】
【００５９】
１，１００…混合水栓（吐出装置）
３０…本体部
４０，１４０…吐出管
４０Ａ，１４０Ａ…第１管部
４０Ｂ，１４０Ｂ…第２管部
４１，１４１…連結部
４１Ａ，４１Ｂ，１４１Ａ，１４１Ｂ…流入口（４１Ａ，１４１Ａ…熱湯流入口、４１Ｂ，１４１Ｂ…湯水流入口）
４１Ｃ，４１Ｄ，１４１Ｃ，１４１Ｄ…流出口（４１Ｃ，１４１Ｃ…熱湯流出口、４１Ｄ，１４１Ｄ…湯水流出口）
４２，４４，１４２，１４４…管部材（４２，１４２…熱湯流通管部材、４４，１４４…湯水流通管部材）
４６…吐出管カバー部材（カバー部材）
Ｃ…水流通路（本体流路）
ＨＭ…混合用熱湯流通路（本体流路）
ＨＤ…吐出用熱湯流通路(本体流路)
ＨＰ，ＭＰ…流通路（ＨＰ…吐出管側熱湯流通路、ＭＰ…吐出管側湯水流通路）
Ｍ…湯水流通路（本体流路）
【図１】
2019044388.tif 000003
【図２】
2019044388.tif 000004
【図３】
2019044388.tif 000005
【図４】
2019044388.tif 000006
【図５】
2019044388.tif 000007
【図６】
2019044388.tif 000008
【図７】
2019044388.tif 000009
【図８】
2019044388.tif 000010
【図９】
2019044388.tif 000011